(57)【要約】【課題】いずれかの画像形成ステーションにおいて故障が発生しても、ユーザが希望する場合には、他の画像形成ステーションを使って画像形成動作を実行できる画像形成装置を提供する。【解決手段】画像形成装置１００は、速度重視印刷モードおよび画質重視印刷モードを有し、画像形成部１１０、検出部２４１，２４２，２４３，２４４およびＣＰＵ２００を備える。ＣＰＵ２００は、検出部２４１，２４２，２４３，２４４が少なくとも１つの画像形成ステーションの故障を検出すると、画像形成部１１０による画像形成動作を停止させ、速度重視印刷モードの場合には画像形成部１１０内の他の画像形成ステーションを使用して画像形成動作を実行させる一方で、画質重視印刷モードの場合には画像形成部１１０の使用を停止させる。【選択図】図２
2010276756.tif 000002
【特許請求の範囲】
【請求項１】
速度重視印刷モードおよび画質重視印刷モードを有する画像形成装置であって、
シート上に画像を形成するための複数の画像形成ステーションを有する画像形成部と、
前記画像形成部内の各画像形成ステーションの画像形成プロセスに係る故障を検出する検出部と、
前記画像形成部内の各画像形成ステーションの画像形成プロセスを制御する制御部と、
を備え、
前記制御部は、前記検出部が少なくとも１つの画像形成ステーションの前記故障を検出すると、前記画像形成部による画像形成動作を停止させ、前記速度重視印刷モードの場合には前記画像形成部内の他の画像形成ステーションを使用して画像形成動作を実行させる一方で、前記画質重視印刷モードの場合には前記画像形成部の使用を停止させる画像形成装置。
【請求項２】
前記制御部は、画像形成動作中に、前記検出部が少なくとも１つの画像形成ステーションの前記故障を検出すると、前記画像形成部による画像形成動作を停止させ、前記画像形成部内の他の画像形成ステーションを使用して画像形成動作を続行するか否かを表示部に表示してユーザに選択させ、ユーザが画像形成動作を続行する選択をした場合には前記画像形成部内の他の画像形成ステーションを使用して画像形成動作を実行させる一方で、ユーザが画像形成動作を停止する選択をした場合には前記画像形成部の使用を停止させる請求項１に記載の画像形成装置。
【請求項３】
前記制御部は、前記検出部が少なくとも１つの画像形成ステーションの前記故障を検出した後において、ユーザから新たな画像形成の指示がされたとき、前記指示の内容が、前記故障が検出された画像形成ステーションを使用するものであるときは、前記画像形成部内の他の画像形成ステーションを使用して画像形成をするか否かを表示部に表示してユーザに選択させ、ユーザが画像形成をすることを選択した場合には前記画像形成部内の他の画像形成ステーションを使用して画像形成を実行させる一方で、ユーザが画像形成をしないことを選択した場合には前記指示を取り消す請求項１または２に記載の画像形成装置。
【発明の詳細な説明】
【技術分野】
【０００１】
本発明は、複数の画像形成ステーションを備える画像形成装置に関する。
【背景技術】
【０００２】
電子写真式の画像形成装置は、感光体表面を帯電する帯電器および現像剤を担持して感光体に現像剤を供給する現像器において、高圧電源からそれぞれ電圧が印加されている。このような画像形成装置では、帯電器や現像器が故障すると、リーク放電が発生し、高圧電源の電圧値が異常値を示すことがある。高圧電源の電圧値が異常値を示すことで、帯電器や現像器における出力電圧が異常となり、キャリア上がりやベタ印字の原因となる。
【０００３】
そこで、高圧電源の電圧値が異常値を示したことを検出すると、画像形成部の動作を停止させる画像形成装置が開示されている（例えば、特許文献１参照。）。
【先行技術文献】
【特許文献】
【０００４】
【特許文献１】特開２００２−２２９３９７号公報
【発明の概要】
【発明が解決しようとする課題】
【０００５】
特許文献１に開示されている画像形成装置は、イエロー、マゼンタ、シアンおよびブラックに対応する４つの画像形成ステーションのうち、１つの画像形成ステーションにおける帯電器または現像器が故障すると、ユーザが満足する品質の印刷ができないため、画像形成部全体の動作を停止させていた。したがって、サービスマンがメンテナンスを完了するまで全く印刷ができなかった。
【０００６】
しかし、ユーザによっては、画質に拘らず早急に印刷を行いたい場合もある。この場合、画像形成ステーションが故障してからサービスマンがメンテナンスを完了するまでの間は全く印刷ができないため、ユーザにとって不都合であった。
【０００７】
そこで本発明の目的は、上記課題に鑑み、いずれかの画像形成ステーションにおいて故障が発生しても、ユーザが希望する場合には、他の画像形成ステーションを使って画像形成動作を実行できる画像形成装置を提供することにある。
【課題を解決するための手段】
【０００８】
本発明の画像形成装置は、速度重視印刷モードおよび画質重視印刷モードを有し、画像形成部、検出部および制御部を備える。速度重視印刷モードとは、ユーザが所望する色での印刷ができない場合であっても、他の色で代替して印刷を行うモードである。画質重視印刷モードとは、ユーザが所望する色での印刷ができない場合には、印刷を行わないモードである。画像形成部は、シート上に画像を形成するための複数の画像形成ステーションを有する。検出部は、画像形成部内の各画像形成ステーションの画像形成プロセスに係る故障を検出する。画像形成プロセスに係る故障とは、画像形成ステーションの各部における故障のことであって、他の画像形成ステーションに影響を及ぼさない故障のことである。制御部は、画像形成部内の各画像形成ステーションの画像形成プロセスを制御する。また、制御部は、検出部が少なくとも１つの画像形成ステーションの故障を検出すると、画像形成部による画像形成動作を停止させ、速度重視印刷モードの場合には画像形成部内の他の画像形成ステーションを使用して画像形成動作を実行させる一方で、画質重視印刷モードの場合には画像形成部の使用を停止させる。
【０００９】
この構成では、予めユーザが速度重視印刷モードまたは画質重視印刷モードを選択してから印刷を開始することで、それぞれの印刷モードに対応した制御を行う。具体的には、速度重視印刷モードを選択した場合に検出部によって画像形成ステーションの画像形成プロセスに係る故障が検出されると、故障が生じた画像形成ステーションを停止させたうえで、他の画像形成ステーションを使用して他の色で代替して印刷を行う。そして、画質重視印刷モードを選択した場合に検出部によって画像形成ステーションの画像形成プロセスに係る故障が検出されると、全ての画像形成ステーションの使用を停止して印刷を終了させる。
【００１０】
したがって、印刷中にいずれかの画像形成ステーションにおいて故障が発生しても、ユーザが画質に拘らないのであれば、他の画像形成ステーションを使って画像形成動作を実行できるため、全く印刷ができないことによるユーザへの不都合を抑えることができる。また、ユーザが画質に拘るのであれば、印刷自体を終了するため、用紙やトナー等の消耗品が無駄になることがない。
【発明の効果】
【００１１】
本発明における画像形成装置は、いずれかの画像形成ステーションにおいて故障が発生しても、ユーザが希望する場合には、他の画像形成ステーションを使って画像形成動作を実行できる。
【図面の簡単な説明】
【００１２】
【図１】本発明の第１実施形態に係る画像形成装置の構成を示す図である。
【図２】本発明の第１実施形態に係る画像形成装置の構成を示すブロック図である。
【図３】本発明の第１実施形態に係る画像形成装置の制御内容を示すフローチャートである。
【図４】本発明の第２実施形態に係る画像形成装置の制御内容を示すフローチャートである。
【図５】本発明の第２実施形態に係る画像形成装置の表示部の表示内容を示す図である。
【図６】本発明の第３実施形態に係る画像形成装置の制御内容を示すフローチャートである。
【発明を実施するための形態】
【００１３】
以下、本発明の実施形態に係る用紙搬送装置を、図面を参照しつつ詳細に説明する。
【００１４】
図１は、本発明の第１実施形態に係る画像形成装置の構成を示す図である。
【００１５】
画像形成装置１００は、外部から伝達された画像データに応じて、所定のシート（記録用紙）に対して多色または単色の画像を形成するものである。画像形成装置１００は、原稿処理装置１２０、給紙部８０、画像形成部１１０および排紙部９０から構成されている。
【００１６】
原稿処理装置１２０は、原稿載置台１２１、原稿搬送装置１２２および原稿読取部１２３を有する。原稿載置台１２１は、透明ガラスからなり、原稿が載置可能な構成となっている。原稿搬送装置１２２は、原稿トレイに積載された原稿を１枚ずつ搬送する。また、原稿搬送装置１２２は、矢印１２４方向に回動自在に構成され、原稿載置台１２１の上を開放することにより原稿載置台１２１に原稿を置くことができるようになっている。原稿読取部１２３は、原稿搬送装置１２１で搬送中の原稿または原稿載置台１２２に載置された原稿を読み取る。
【００１７】
給紙部８０は、給紙カセット８１、手差し給紙カセット８２、ピックアップローラ８３およびピックアップローラ８４が設けられている。給紙カセット８１は、定形シートを蓄積しておくためのトレイである。手差し給紙カセット８２は、不定形シートを載置することができるトレイである。ピックアップローラ８３は、給紙カセット８１の端部近傍に備えられ、給紙カセット８１からシートを１枚ずつピックアップして用紙搬送路１０１に供給する。同様にピックアップローラ８４は、手差し給紙カセット８２の端部近傍に設けられ、手差し給紙カセット８２からシートを１枚ずつピックアップして用紙搬送路１０１に供給する。
【００１８】
画像形成部１１０は、画像形成ステーション３１，３２，３３，３４、露光ユニット３０、中間転写ベルトユニット５０および定着ユニット７０から構成されている。画像形成ステーション３１，３２，３３，３４は、それぞれ感光体ドラム１０、帯電器２０、現像器４０およびクリーナユニット６０が設けられており、ブラック（Ｋ）、シアン（Ｃ）、マゼンタ（Ｍ）およびイエロー（Ｙ）の各色を用いたカラー画像に応じたものである。本実施形態では、画像形成ステーション３１について説明する。
【００１９】
感光体ドラム１０は、画像形成時に回転し、現像剤像を担持するためのものである。感光体ドラム１０の周囲には、回転方向上流から帯電器２０、露光ユニット３０、現像器４０、中間転写ベルトユニット５０、クリーナユニット６０の順に配置されている。定着ユニット７０は、搬送路１０１上において画像形成部１１０の最も下流に位置する。
【００２０】
帯電器２０は、感光体ドラム１０の表面を所定の電位に均一に帯電させるための帯電手段であり、図１に示すようなチャージャ型の他、接触型のローラ型やブラシ型の帯電器が用いられることもある。
【００２１】
露光ユニット３０は、帯電された感光体ドラム１０を入力された画像データに応じて露光することにより、その表面に、画像データに応じた静電潜像を形成する機能を有する。露光ユニット３０は、レーザ射出部および反射ミラー等を備えたレーザスキャニングユニット（ＬＳＵ）として構成される。露光ユニット３０は、レーザビームを走査するポリゴンミラーと、ポリゴンミラーによって反射されたレーザ光を感光体ドラム１０に導くためのレンズやミラー等の光学要素が配置されている。露光ユニット３０としては、この他発光素子をアレイ状に並べた例えばＥＬやＬＥＤ書き込みヘッドを用いる手法も採用できる。
【００２２】
現像器４０は、感光体ドラム１０上に形成された静電潜像をトナーにより顕像化するものである。
【００２３】
中間転写ベルトユニット５０は、中間転写ベルト５１、中間転写ベルト駆動ローラ５２、中間転写ベルト従動ローラ５３、中間転写ローラ５４および中間転写ベルトクリーニングユニット５５を備えている。
【００２４】
中間転写ベルト駆動ローラ５２、中間転写ベルト従動ローラ５３および中間転写ローラ５４は、中間転写ベルト５１を張架して回転駆動させる。また、中間転写ローラ５４は、感光体ドラム１０のトナー像を、中間転写ベルト５１上に転写するための転写バイアスを与える。
【００２５】
中間転写ベルト５１は、感光体ドラム１０に接触するように設けられている。そして、感光体ドラム１０に形成されたトナー像を中間転写ベルト５１に転写することによって、中間転写ベルト５１上にトナー像を形成する機能を有している。中間転写ベルト５１は、例えば厚さ１００μｍ〜１５０μｍ程度のフィルムを用いて無端状に形成されている。
【００２６】
感光体ドラム１０から中間転写ベルト５１へのトナー像の転写は、中間転写ベルト５１の裏側に接触している中間転写ローラ５４によって行われる。中間転写ローラ５４には、トナー像を転写するために高電圧の転写バイアス（トナーの帯電極性（−）とは逆極性（＋）の高電圧）が印加されている。中間転写ローラ５４は、直径８ｍｍ〜１０ｍｍの金属（例えばステンレス）軸をベースとし、その表面が導電性の弾性材（例えばＥＰＤＭ、発泡ウレタン等）により覆われているローラである。この導電性の弾性材により、中間転写ベルト５１に対して均一に高電圧を印加することができる。本実施形態では転写電極としてローラ形状を使用しているが、それ以外にブラシなども用いることが可能である。
【００２７】
上述のように感光体ドラム１０上で顕像化された静電像は中間転写ベルト５１で積層される。このように、積層された画像情報は中間転写ベルト５１の回転によって、用紙と中間転写ベルト５１との接触位置に配置される転写ローラ５６によって用紙上に転写される。
【００２８】
このとき、中間転写ベルト５１と転写ローラ５６は所定ニップで圧接されるとともに、転写ローラ５６にはトナーを用紙に転写させるための電圧が印加される（トナーの帯電極性（−）とは逆極性（＋）の高電圧）。さらに、転写ローラ５６は上記ニップを定常的に得るために、転写ローラ５６もしくは中間転写ベルト駆動ローラ５２のいずれか一方を硬質材料（金属等）とし、他方を弾性ローラ等の軟質材料（弾性ゴムローラまたは発泡性樹脂ローラ等）としている。
【００２９】
また、上記のように、感光体ドラム１０に接触することにより中間転写ベルト５１に付着したトナーもしくは転写ローラ５６によって用紙上に転写が行われず中間転写ベルト５１上に残存したトナーは、中間転写ベルトクリーニングユニット５５によって除去・回収されるように設定されている。中間転写ベルトクリーニングユニット５５には、中間転写ベルト５１に接触する例えばクリーニング部材としてクリーニングブレードが備えられており、クリーニングブレードが接触する中間転写ベルト５１は、裏側から中間転写ベルト従動ローラ５３で支持されている。
【００３０】
クリーナユニット６０は、現像・画像転写後における感光体ドラム１０上の表面に残留したトナーを除去・回収する。
【００３１】
定着ユニット７０は、ヒートローラ７１および加圧ローラ７２を備えており、ヒートローラ７１および加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写されたトナー像を溶融・混合・圧接し、シートに対して熱定着させる機能を有している。またヒートローラ７１を外部から加熱するための外部加熱ベルト７３が設けられている。
【００３２】
排紙部９０は、排紙トレイ９１および排紙ローラ９２を有する。定着ユニット７０を通過した用紙は、排紙ローラ９２を経て排紙トレイ９１に排出される。排紙トレイ９１は、印刷済みのシートを集積するためのトレイである。
【００３３】
また、両面印字要求のときは、上記のように片面印字が終了し定着ユニット７０を通過したシートの後端が排紙ローラ９２で把持されたときに、排紙ローラ９２が逆回転することによってシートを搬送ローラ１０２，１０３に導く。そしてその後レジストローラ１０４を経てシート裏面に印字が行われた後にシートが排紙トレイ９１に排出される。
【００３４】
図２は、本発明の第１実施形態に係る画像形成装置の構成を示すブロック図である。
【００３５】
ＣＰＵ２００は、ＲＯＭ２１０、ＲＡＭ２２０、露光ユニット３０、中間転写ベルトユニット５０、定着ユニット７０、給紙部８０、原稿処理装置１２０、表示部２３０、検出部２４１，２４２，２４３，２４４および画像形成ステーション３１，３２，３３，３４と接続している。ＣＰＵ２００は、本発明の制御部に相当する。
【００３６】
ＣＰＵ２００は、ＲＯＭ２１０からプログラムを読み出して実行し、各部を総括的に制御する。ＲＡＭ２２０は、ＣＰＵ２００のワーキングエリアとして活用される。表示部２３０は、画像形成装置１００の状態等を表示する。検出部２４１，２４２，２４３，２４４は、画像形成ステーション３１，３２，３３，３４に含まれる帯電器のグリッド電圧値および現像器の現像電圧値をモニターしている。帯電器のグリッド電圧値または現像器の現像電圧値が異常値を示すと、その検出信号をＣＰＵ２００に伝達する。本実施形態では、帯電器のグリッド電圧値または現像器の現像電圧値が異常値を示した場合を故障とする。
【００３７】
ＣＰＵ２００は、検出部２４１，２４２，２４３，２４４によって画像形成ステーション３１，３２，３３，３４の故障が検出されると、どの画像形成ステーションで故障が検出されたかをＲＡＭ２２０に記憶する。そして、ＣＰＵ２００は、故障が検出された画像形成ステーションの故障が解除されると、ＲＡＭ２２０の画像形成ステーションの故障情報を消去する。
【００３８】
図３は、本発明の第１実施形態に係る画像形成装置の制御内容を示すフローチャートである。
【００３９】
ＣＰＵ２００は、ユーザからの印刷指示があるまで待機する（Ｓ１０のＮ）。ユーザからの印刷指示には、速度重視印刷モードで印刷をするか、または画質重視印刷モードで印刷するかの指示が含まれる。速度重視印刷モードとは、ユーザが所望する色での印刷ができない場合であっても、他の色で代替して印刷を行うモードである。画質重視印刷モードとは、ユーザが所望する色での印刷ができない場合には、印刷を行わないモードである。
【００４０】
ＣＰＵ２００は、ユーザからの印刷指示があったと判断すると（Ｓ１０のＹ）、ＲＡＭ２２０に画像形成ステーション３１，３２，３３，３４の故障情報が記憶されているか否かを判断する（Ｓ２０）。
【００４１】
ＣＰＵ２００は、ＲＡＭ２２０に画像形成ステーション３１，３２，３３，３４の故障情報が記憶されていると判断すると（Ｓ２０のＹ）、Ｓ７０の判断へと移行する。ＣＰＵ２００は、ＲＡＭ２２０に画像形成ステーション３１，３２，３３，３４の故障情報が記憶されていないと判断すると（Ｓ２０のＮ）、印刷を開始する（Ｓ３０）。
【００４２】
印刷中、ＣＰＵ２００は、検出部２４１，２４２，２４３，２４４の検出信号の有無により、画像形成ステーション３１，３２，３３，３４の故障の有無を判断する（Ｓ４０）。ＣＰＵ２００は、いずれの画像形成ステーションにも故障が検出されていないと判断すると（Ｓ４０のＮ）、印刷が終了したか否かを判断する（Ｓ５０）。ＣＰＵ２００は、印刷が終了したと判断すると（Ｓ５０のＹ）、本実施形態の制御を終了する。ＣＰＵ２００は、印刷がまだ終了していないと判断すると（Ｓ５０のＮ）、Ｓ４０の判断に戻る。
【００４３】
ＣＰＵ２００は、Ｓ４０でいずれかの画像形成ステーションにおいて故障が検出されたと判断すると（Ｓ４０のＹ）、故障が検出された画像形成ステーションを停止させて画像形成部１１０による画像形成動作を停止させる（Ｓ６０）。そして、ＣＰＵ２００は、Ｓ１０において指示された印刷モードが速度重視印刷モードであるか画質重視印刷モードであるかを判断する（Ｓ７０）。ＣＰＵ２００は、Ｓ１０において指示された印刷モードが画質重視印刷モードであると判断すると（Ｓ７０のＮ）、本実施形態の制御を終了する。ＣＰＵ２００は、Ｓ１０において指示された印刷モードが速度重視印刷モードであると判断すると（Ｓ７０のＹ）、故障が検出された画像形成ステーション以外の他の画像形成ステーションを使用して印刷を続行させ（Ｓ１００）、Ｓ４０の判断に戻る。このとき、故障が検出された画像形成ステーションの動作を全て停止するのではなく、感光体を空転させることで、感光体と中間転写ベルト５１の接触による摩擦抵抗を抑えることができる。
【００４４】
本実施形態では、予めユーザが速度重視印刷モードまたは画質重視印刷モードを選択してから印刷を開始することで、それぞれの印刷モードに対応した制御を行う。したがって、印刷中にいずれかの画像形成ステーションにおいて故障が発生しても、ユーザが画質に拘らないのであれば、他の画像形成ステーションを使って画像形成動作を実行できるため、全く印刷ができないことによるユーザへの不都合を抑えることができる。また、ユーザが画質に拘るのであれば、印刷自体を終了するため、用紙やトナー等の消耗品が無駄になることがない。
【００４５】
図４は、本発明の第２実施形態に係る画像形成装置の制御内容を示すフローチャートである。
【００４６】
第１実施形態では、印刷指示時に速度重視印刷モードが選択されている場合にいずれかの画像形成ステーションにおいて故障が検出されたときには、他の画像形成ステーションを使用して印刷を自動的に実行している。しかし、画質にはあまり拘りがなく速度重視で印刷したいが、ある特定の色での印刷を避けたい、と要望するユーザがいる。そこで、本実施形態のように、速度重視印刷モードが選択されている場合にいずれかの画像形成ステーションにおいて故障が発生したとき、ＣＰＵ２００は、画像形成部１１０全体を停止させ（Ｓ６０）、図５に示すように、どの色で印刷をするかを選択する画面を表示部２３０に表示し（Ｓ８０）、ユーザに選択させてもよい（Ｓ９０）。このとき、表示部２３０において、それぞれの色をプレビュー表示してもよい。図５は、ブラックに対応する画像形成ステーションにおいて故障が検出された場合の表示部２３０の表示内容を示す。
【００４７】
以上のように、本実施形態では、いずれかの画像形成ステーションに故障が生じているときにユーザが新たに印刷をしようとする場合に、ユーザが所望する色で印刷を行うことができないことをユーザが知ることができる。そのうえで印刷をするか否かをユーザに選択させることにより、ユーザの拘りに応じて印刷をするか否かを制御することができる。
【００４８】
図６は、本発明の第３実施形態に係る画像形成装置の制御内容を示すフローチャートである。
【００４９】
本実施形態は、印刷指示時に速度重視印刷モードまたは画質重視印刷モードを選択しない場合について示す。本フローチャートにおいて、図３と重複する部分の説明は省略する。
【００５０】
ＣＰＵ２００は、Ｓ２０において画像形成ステーションに故障が検出されていると判断すると（Ｓ２０のＹ）、またはＳ４０において画像形成ステーションに故障が検出されて全ての画像形成部を停止したあと（Ｓ６０）、図５に示すようにどの色で印刷をするかを選択する画面を表示部２３０に表示する（Ｓ８０）。そして、ＣＰＵ２００は、いずれかの色で印刷をすることが選択された場合には（Ｓ９０のＹ）、その色に対応した画像形成ステーションを使用して印刷を続行させる（Ｓ１００）。ＣＰＵ２００は、他の画像形成ステーションを使用することが選択されなかったときには（Ｓ９０のＮ）、本実施形態の制御を終了する。
【００５１】
本実施形態では、画像形成動作中に検出部によって画像形成ステーションの画像形成プロセスに係る故障が検出されると、故障が生じた画像形成ステーションを停止させたうえで、他の画像形成ステーションを使用して画像形成動作を続行するか否かをユーザに選択させることにより、画像形成動作中におけるユーザの拘りに応じて画像形成動作を続行するか否かを制御することができる。
【００５２】
したがって、いずれかの画像形成ステーションにおいて故障が発生しても、ユーザが画質に拘らないのであれば、他の画像形成ステーションを使って画像形成動作を実行できるため、全く印刷ができないことによるユーザへの不都合を抑えることができる。また、ユーザが画質に拘るのであれば、印刷自体を終了するため、用紙やトナー等の消耗品が無駄になることがない。
【００５３】
第１実施形態〜第３実施形態において、検出部２４１，２４２，２４３，２４４は、帯電器のグリッド電圧値および現像器の現像電圧値の故障を検出するが、画像形成ステーション３１，３２，３３，３４の画像形成プロセスに係る故障であれば特に限定されない。画像形成プロセスに係る故障とは、画像形成ステーション３１，３２，３３，３４に含まれる各部における故障のことであって、他の画像形成ステーションに影響を及ぼさない故障のことである。
【００５４】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５５】
３１−画像形成ステーション
３２−画像形成ステーション
３３−画像形成ステーション
３４−画像形成ステーション
１００−画像形成装置
１１０−画像形成部
２００−ＣＰＵ
２３０−表示部
２４１−検出部
２４２−検出部
２４３−検出部
２４４−検出部
【図１】
2010276756.tif 000003
【図２】
2010276756.tif 000004
【図３】
2010276756.tif 000005
【図４】
2010276756.tif 000006
【図５】
2010276756.tif 000007
【図６】
2010276756.tif 000008